(57)【要約】【課題】  熱に近い赤外領域の長波長領域を使用することで、基材の色、刷色の影響及び光の吸収率の変動を受けることなく識別が可能な、情報記録媒体の読取方法及び読取装置並びに真偽判別方法及び真偽判別装置を提供する【解決手段】  少なくともサーミスタセンサ４、熱赤外照射器５を備えた検知装置により、基材２上にこの基材２の熱伝導率とは異なる熱伝導率のインキ３で印刷された印刷物１の熱伝導率を測定するものであり、熱赤外照射器５からサーミスタセンサ４を加熱するか又は、サーミスタセンサ４に許容電流内で多目の電流を流し自己発熱させ、このサーミスタセンサ４を搬送される印刷物１に接触させて測定を行うと、印刷物１を構成する基材２とインキ３のそれぞれの熱伝導率は異なるので、基材２部分とインキ３部分のサーミスタセンサ４の温度変化量が異なり電気抵抗値の変化として検出する。【選択図】  図１
2009101647.tif 000002
【特許請求の範囲】
【請求項１】
基材上に、前記基材の熱伝導率とは異なる熱伝導率を有する材料で情報を付与した情報記録媒体の情報を読取る方法であって、
前記情報記録媒体に熱照射手段より熱を照射するステップと、
前記熱照射により前記情報記録媒体に温度変化を与えるステップと、
前記温度変化を温度センサを用いて電圧の変化として測定するステップと、
前記測定した電圧変化を情報として読取るステップとを有することを特徴とする情報記録媒体の読取り方法。
【請求項２】
前記熱照射手段より熱を照射するステップにおいて、
熱照射量を周期的に変化させるステップと、
前記変化させた照射量により、熱照射の周期波形と情報記録媒体の温度変化波形の位相差を検出するステップとをさらに有する、請求項１に記載の情報記録媒体の読取り方法。
【請求項３】
基材上に、前記基材の熱伝導率とは異なる熱伝導率を有する材料で情報を付与した情報記録媒体の読取装置であって、
前記情報記録媒体に対し熱を照射する熱照射手段と、
前記照射された熱を検知する熱検知手段と、
前記検知した温度変化を信号に変化する増幅手段とを備えたことを特徴とする情報記録媒体の読取装置。
【請求項４】
基材上に、前記基材の熱伝導率とは異なる熱伝導率を有する材料で情報を付与した情報記録媒体の真偽判別方法であって、
前記情報記録媒体に熱照射手段より熱を照射するステップと、
前記熱照射により前記情報記録媒体に温度変化を与えるステップと、
前記温度変化を温度センサを用いて電圧の変化として測定するステップと、
前記測定した電圧変化を情報として読取るステップと、
前記読取った情報を、あらかじめ記憶してある真正な情報と比較するステップとを有することを特徴とする情報記録媒体の真偽判別方法。
【請求項５】
前記熱照射手段より熱を照射するステップにおいて、
熱照射量を周期的に変化させるステップと、
前記変化させた照射量により、熱照射の周期波形と情報記録媒体の温度変化波形の位相差を検出するステップとをさらに有することを特徴とする請求項４に記載の情報記録媒体の真偽判別方法。  
【発明の詳細な説明】
【技術分野】
【０００１】
本発明は、情報記録媒体の読取方法及び読取装置並びに真偽判別方法及び真偽判別装置に関する。特に、熱を利用しその温度変化により識別が可能となる情報記録媒体に関するものである。
【背景技術】
【０００２】
従来より、シート基材等に凹版印刷、スクリーン印刷、すき入れ、エンボス、レーザ加工、超音波加工等を用いて情報を付与し、付与した情報を読み取る方法として、赤外領域等による透過光でシートを評価するという技術は一般に公知である。
【０００３】
また、可視領域に光吸収がなく、かつ、赤外領域に光吸収を有する印字材料で情報を形成してなる被測定物に赤外光を照射して、その吸収・反射を用いて真偽を判別する方法（例えば、特許文献１参照。）が提案されている。
【０００４】
また、被測定物に光を照射して、反射光をレンズで結像してイメージセンサで取り込み、凹凸パターンを判別する、物品の真偽判定方法及び装置（例えば、特許文献２参照。）が提案されている。
【０００５】
【特許文献１】特開平７−２４２０８７号公報
【特許文献２】特開２００２−３０４６５３号公報
【発明の開示】
【発明が解決しようとする課題】
【０００６】
前述した公知技術では、シート基材の厚みや色、印刷インキの刷色の変化により光の吸収率が変動するため評価の精度が悪くなるという問題があった。
【０００７】
特許文献１による技術は、赤外光の吸収反射物質のみであるため、赤外領域が撮影可能な例えば市販のビデオカメラや赤外特性を持つ材料が容易に入手可能であることから、偽造・変造が容易であるという問題があった。
【０００８】
特許文献２による技術は、被測定物が主にコインであり、凹版印刷物の場合には、刷色の変化により光の吸収率が変化するため評価が困難である。また、イメージセンサを用いると、装置が大掛かりとなって、自販機等への配設が困難になるという問題があった。
【０００９】
本発明は、上記従来技術における問題点を解決するためになされたもので、基材の色の影響が少なく、赤外領域が撮影可能な、例えば市販のビデオカメラでの識別が不可能な、熱に近い赤外領域の長波長領域を使用する情報記録媒体の読取方法及び読取装置並びに真偽判別方法及び真偽判別装置を提供することを目的とする。
【課題を解決するための手段】
【００１０】
請求項１記載の発明は、基材上に、基材の熱伝導率とは異なる熱伝導率を有する材料で情報を付与した情報記録媒体の情報を読み取る方法であって、情報記録媒体に熱照射手段より熱を照射するステップと、熱照射により情報記録媒体に温度変化を与えるステップと、温度変化を温度センサを用いて電圧の変化として測定するステップと、測定した電圧変化を情報として読み取るステップとを有することを特徴とする情報記録媒体の読取方法である。
【００１１】
請求項２記載の発明は、請求項１記載の発明を前提とし、前述の熱照射手段より熱を照射するステップにおいて、熱照射量を周期的に変化させるステップと、変化させた照射量により、熱照射の周期波形と情報記録媒体の温度変化波形の位相差を検出するステップとをさらに有することを特徴とする情報記録媒体の読取方法である。
【００１２】
請求項３記載の発明は、基材上に、基材の熱伝導率とは異なる熱伝導率を有する材料で情報を付与した情報記録媒体の読取装置であって、情報記録媒体に対し熱を照射する熱照射手段と、照射された熱を検知する熱検知手段と、検知した温度変化を信号に変化する増幅手段とを備えたことを特徴とする情報記録媒体の読取装置である。
【００１３】
請求項４記載の発明は、基材上に、基材の熱伝導率とは異なる熱伝導率を有する材料で情報を付与した情報記録媒体の真偽判別方法であって、情報記録媒体に熱照射手段より熱を照射するステップと、熱照射により情報記録媒体に温度変化を与えるステップと、温度変化を温度センサを用いて電圧の変化として測定するステップと、測定した電圧変化を情報として読み取るステップと、読み取った情報を、あらかじめ記憶してある真正な情報と比較するステップとを有することを特徴とする情報記録媒体の真偽判別方法である。
【００１４】
請求項５記載の発明は、請求項４記載の発明を前提とし、熱照射手段より熱を照射するステップにおいて、熱照射量を周期的に変化させるステップと、変化させた照射量により、熱照射の周期波形と情報記録媒体の温度変化波形の位相差を検出するステップとをさらに有することを特徴とする情報記録媒体の真偽判別方法である。
【発明の効果】
【００１５】
本発明は、熱に近い赤外領域の長波長領域を使用していることから、基材の色の影響が少なく、赤外領域が撮影可能な例えば市販のビデオカメラでの識別が不可能であるため、偽造防止効果が高く、また高精度に偽造品の真偽判別が可能になった。
【発明を実施するための最良の形態】
【００１６】
本発明の実施の形態において、情報記録媒体とは、一般にカードに総称されるもの、各種証明書類、有価証券等のように、文字や画像等で情報が記録され、かつ、偽造、改ざんに対して防止対策がなされている媒体をいう。また、印刷物とは、これらの媒体に偽造・改ざん防止を付与する方法として印刷法を用いたものをいう。このような媒体に付与された情報は種々のセンサで検出可能であり、本実施の形態では熱的性質である熱伝導率を測定することで情報を得るものである。
【００１７】
まず、本発明の情報記録媒体の読取方法、読取装置に係る実施の形態を説明する。
本実施の形態において、本発明に用いる情報記録媒体とは、基材上に、この基材とは熱伝導率の異なるインキで情報を付与して形成した印刷物等である。この印刷物の読取方法としては、接触方式、非接触方式の２方式を用いて説明する。
【００１８】
実施の形態１として、印刷物の読取方法として接触方式を用いた例を説明する。温度変化に応じて抵抗値が変化する接触式サーミスタセンサを用いて説明する。
熱に近い赤外領域を検出する素子には、サーモパイル型、焦電型、サーミスタ型の３種類があり、サーミスタ型の赤外線検出素子の一般的な構造としては、基板上に形成された熱絶縁膜の上にサーミスタと一対の電極からなり、赤外線が当たってサーミスタの温度が変化するとサーミスタの抵抗が変化するので、二つの抵抗変化を一対の電極で検出して赤外線が検知できるようになっている。
【００１９】
本実施の形態１では、熱照射手段と熱検知手段に同じ素子を用いる。つまり、熱照射手段として、サーミスタセンサに許容電流内で多めの電流を流し自己発熱をさせるか、又はサーミスタセンサに加熱装置等を取り付け、サーミスタセンサを過熱させる。
熱検知手段として、加熱したサーミスタセンサに被測定物を接触させると過熱したセンサから熱が奪われ、温度変化が生ずる。この温度変化によりサーミスタの抵抗値が変化し、同抵抗値を計測するものである。
【００２０】
図１は、接触式サーミスタセンサを用いた検知装置と検知方法の概略図である。図１(a)は、検知装置による印刷物の検知方法を示す図であり、図１(b)は、その時の読取検知電圧値を示す図である。
図１(a)は、少なくともサーミスタセンサ４、熱赤外照射器５を備えた検知装置により、基材２上にこの基材２の熱伝導率とは異なる熱伝導率のインキ３で印刷された印刷物１の熱伝導率を測定するものである。例えば、インキに対するカーボンの含有量の違いにより熱伝導率が異なり、カーボンの量が多いと熱の吸収・伝導が良く、少ないと熱の吸収・伝導が悪くなるというような現象を利用するものである。
検知装置の熱照射手段としての熱赤外照射器５からサーミスタセンサ４を加熱するか又は、サーミスタセンサ４に許容電流内で多目の電流を流し自己発熱させ、このサーミスタセンサ４を搬送される印刷物１に接触させて測定を行うと、印刷物１を構成する基材２とインキ３のそれぞれの熱伝導率は異なるので、基材２部分とインキ３部分のサーミスタセンサ４の温度変化量が異なり電気抵抗値の変化として検出できる。
【００２１】
図１(b)は、サーミスタセンサ４による印刷物１の温度変化量を電気抵抗値の変化として検出した図を示すものである。横軸を測定位置、縦軸を検知電圧とする。印刷物１の搬送方向に従ってスキャンしていくと、印刷物１の基材２部分の熱伝導率とインキ３部分の熱伝導率とは異なって構成されており、基材２部分はインキが載っておらず熱吸収量が小さいため、検知電圧レベルは低くなり、インキ３部分は熱吸収量が大きいため、検知電圧レベルはインキ部分でピークが出現する。
【００２２】
また、印刷物１の基材２部分にインキ３部分より熱吸収量の小さいインキを用いることも可能である。この時は、基材２部分が熱吸収量の小さいインキで印刷されるため、図１(b)と同様の形状の検知電圧レベル及びピークが得られる。
【００２３】
図２は、サーミスタセンサで印刷物１を測定した図を示す。比較として、印刷物１を複写機でコピーしたものも測定した。実線が基材、点線が印刷部分、一点鎖線が複写物である。見た目は同じ印刷物であっても、印刷インキとコピーしたトナーの熱吸収量の違いがあるために、測定波形が異なり、真偽判別が可能になる。
【００２４】
次に、実施の形態２として、印刷物の読取方法として非接触温度検知方式を用いた例を説明する。サーモパイル型赤外線センサを利用した検知方法を説明する。熱検知手段であるサーモパイルセンサは、熱型赤外線センサであり、センサ部に入ってきた熱（遠赤外線)により電力を発生させる起電力型の素子であり、温度測定対象物から入射した赤外線によって生じた温度とセンサ周辺温度との差に対応する電圧を発生する素子である。
熱赤外照射器からサーモパイルセンサへの熱の入力を断続的にするために、熱赤外照射器のオン・オフ又は、チョッパを使用する。
【００２５】
また、一般に、サーモパイルの電圧感度は周囲温度の変化によって変わり、サーモパイル抵抗も周囲温度の変化によって抵抗値が変化するので、室温（最初の温度）や外乱の影響を考慮する必要があるが、本実施の形態においては、これらの影響を無視することによる影響を受けない範囲で実施した。
【００２６】
図３は、非接触式サーモパイルセンサを用いた検知装置と検知方法の概略図である。
図３(a)は、検知装置による印刷物１の検知方法を示す図であり、図３(b)は、その時の読取検知電圧値を示す図である。
【００２７】
図３(a)は、サーモパイルセンサ６、熱赤外照射器５、チョッパ７を備えた検知装置により、基材２上に、この基材２の熱伝導率とは異なる熱伝導率のインキ３で印刷された印刷物１の熱伝導率を測定する。
印刷物１の裏面側にサーモパイルセンサ６を設置し、このサーモパイルセンサ６と、印刷物１を介して向き合う位置に熱赤外照射器５を配置する。
印刷物１を熱赤外照射器５を用いて加熱することにより、加熱された印刷物１の基材２部分、インキ３部分から放射される赤外線の熱量を、サーモパイルセンサ６で検知することができる。
印刷物１を構成する基材２とインキ３のそれぞれの熱伝導率は異なるため、加熱している間、基材２部分とインキ３部分の温度変化量が異なり、サーモパイルセンサ６の電圧変化として捉えることができる。また、加熱をやめると、しばらくしてから検知電圧が最大になるが、インキ３は基材２より熱を蓄積しやすいことから、インキ３の方が最大値が現れる時間が遅れる。最大値の遅れを位相差として検出することもできる。
【００２８】
図３(b)は、サーモパイルセンサ６による印刷物１の温度変化量を電気抵抗値の変化として検出した図であり、サーモパイルセンサ６による測定波形と振幅、位相のグラフを示すものである。横軸を測定時間、縦軸を検知電圧とする。  断続的に熱を遮断してサーモパイルセンサ６で検知する、つまり、加熱・冷却（非加熱）を繰り返すことから、点線で示されるような波形となる。
波形は周期的な波形となり、振幅の大きさは、基材２とインキ３の材料の違いにより、インキ３が基材２より熱を蓄積しやすいことから、冷却されるまでの時間が基材よりかかり、このことが位相のずれとして現れている。
【００２９】
図４は、サーモパイルセンサを用いた読取装置において、熱赤外照射器５から、測定対象物に熱を照射したとき、対象物の裏側に熱が到達するまでの対象物の材質による時間の違いを現した図である
紙、印刷（印刷に用いるインキ部分）及びカード基材は、それぞれ熱の吸収率（伝導率）に影響を受けるため、図３(ｂ)で示したように、熱赤外照射器のオン・オフと波長のピークが出る位置は、材質により時間的なずれが生じることがわかる。
【００３０】
本実施の形態では、印刷物を搬送させない静止状態で読み取りを行っているが、勿論、チョッパとロックインアンプの組合せによる搬送系によって、読み取りも可能である。
【００３１】
図５は、サーモパイルセンサで印刷物１を測定した図であり、図３(ｂ)の一周期分を見たときの図を示す。熱源とは測定物のない状態で測定、基材とは紙を測定、印刷とは熱吸収のよいインキを測定した測定値をグラフにしたものである。実線が基材、点線が印刷部分、一点鎖線が測定物のない状態での測定である。
【００３２】
また、被測定物が印刷物の場合、基材の熱伝導率と、該基材の熱伝導率とは異なる熱伝導率を有するインキでは、サーモパイルセンサが検出する信号には差が生じることがわかる。
【００３３】
以上、本発明の情報記録媒体及びその読取方法、読取装置に係る実施の形態を、接触方式、非接触方式の２方式を用いて説明したが、これに限定されることなく、他の熱センサを用いても同様の結果を得ることができるのは当然である。
【００３４】
以上詳述した実施の形態に基づいて、情報記録媒体の真偽判別方法として用いることが可能となる。真性の情報記録媒体に用いているインキの種類等が解らないと、例え情報記録媒体を偽造したとしても、偽造した情報記録媒体に用いたインキの熱伝導率が真正の情報記録媒体と異なるため、あらかじめ真正な情報記録媒体の基材とインキの熱伝導率を登録しておくことで、偽造した情報記録媒体のインキの熱伝導率と比較することにより真偽判別が可能となる。
【００３５】
（実施例１）  本実施の形態に基づく実施例１として、印刷物の真偽判別方法及び真偽判別装置を説明する。
図６及び図７に、基材層としての用紙上に、熱伝導率Ａのインキ、熱伝導率Ｂのインキという異なる２種類のインキを用いて印刷により情報を形成した印刷物の読取方法及び読取装置を示す。本実施例では印刷による場合を説明するが、蒸着又は貼付により付与する場合も同様である。
【００３６】
図６は、読取装置のブロック図を示すものである。図６（a）は反射方式、図６（b）は透過方式の読取装置である。反射方式と透過方式とでは、熱赤外検知器８の位置が変わるだけで、あとの構成は同じである。
【００３７】
図６（a）の読取装置（反射方式）、図６（b）の読取装置（透過方式）は、熱赤外照射器５、熱赤外照射用電源部１０、熱赤外検知器８、増幅部１１、信号整形部１２、二値化部１３、出力器１４から構成される。
熱赤外照射器５は、長波長領域の光源（ＬＥＤ、レーザ、ヒータ等）を用い、熱赤外検知器８は、長波長領域の受光素子（フォトダイオード、フォトトランジスタ等）を用いる。
【００３８】
図７に、上記読取装置を用いた印刷物の読取方法を概略的に示す。
図７（a）は、透過方式による読取方法を示す概略図である。
印刷物１の上方に熱赤外照射器５、下方に熱赤外検知器８を設置し、矢印方向に印刷物１が移動していくと、熱赤外照射器５から放射される熱は、情報を形成している熱伝導率Ａのインキ部分、熱伝導率Ｂのインキ部分、印刷されていない用紙部分のそれぞれの熱を、熱赤外検知器８で検知される信号量として測定する。
【００３９】
図７（b）は、反射方式による読取方法を示す概略図である。
印刷物１の上方に熱赤外照射器５と熱赤外検知器８とを並べて設置し、印刷物１の下方に金属板（熱赤外反射板）９を置いたものである。矢印方向に印刷物１が移動していくと、熱赤外照射器５より熱を放射し、放射された熱をすぐ熱赤外検知器８で検知するものである。
【００４０】
印刷物１は、（a）の透過方式の場合は熱赤外照射器５と熱赤外検知器８の間隙に、（b）の反射方式の場合は熱赤外照射器５からの長波長領域の光が熱赤外検知器８へ反射する位置に、それぞれ配置する。
熱赤外照射器５と熱赤外検知器８又は印刷物１を移動させることにより、印刷物上の熱伝導率Ａのインキ部分、熱伝導率Ｂのインキ部分の熱伝導率の差によって、長波長領域の光は、検知電圧が、（a）の透過方式の場合は低く、（b）の反射方式の場合は高くなることから検出が可能となる。
また、長波長領域の光の反射光量を測定する際に、長波長領域の光の反射光量が微弱な場合には、熱赤外照射器５からの長波長領域の光が透過する側の基材層に、金属製の熱線反射層を貼付若しくは読取装置に金属製の熱赤外反射板を設置することにより、熱の反射効率を高めることが可能となる。
【００４１】
図８は、図７の印刷物１をサーモパイルセンサを用いた読取装置で読取った測定値（振幅）を示す図である。比較として、印刷物１を複写機でコピーしたものを測定した。図の横軸には、熱源、熱伝導率Ａのインキ部分、熱伝導率Ｂのインキ部分、熱伝導率Ａのインキ部分のコピー、熱伝導率Ｂのインキ部分のコピーの熱赤外検知器８で検知される信号量の測定値を示す。
図から、熱伝導率Ａのインキ部分と熱伝導率Ｂのインキ部分の熱伝導率の違いがはっきり出ているが、比較として用いた複写物では、熱伝導率の異なる２種類のインキの違いがでていないということが分るので、あらかじめ真正な印刷物の基材層、インキ部分を測定して記録しておくことで、真偽判別が可能となる。
【００４２】
（実施例２）  実施例１では、熱伝導率Ａのインキ、熱伝導率Ｂのインキという異なる２種類のインキを用いて印刷により情報を形成した印刷物の読取方法及び読取装置を説明したが、本実施例２では、さらにその印刷物の上にホログラム等のＯＶＤ箔を貼付した貼付物を、サーモパイル型赤外線センサを用いて測定した結果を示す。蒸着により付与した蒸着物の場合も同様に測定することができる。
【００４３】
図９は、用紙上に、シアン（Ｃ）、マゼンタ（Ｍ）、イエロー（Ｙ）のＣＭＹインキとブラック（Ｋ）インキの２種類の黒インキで印刷して印刷物を作製し、この印刷物にさらにＯＶＤ箔を貼付したＯＶＤ貼付物に対して、熱源のみ、用紙部分、用紙のＣＭＹＫインキ部分、用紙のＫインキ部分、用紙＋ＯＶＤ箔部分、用紙のＣＭＹＫインキ部分＋ＯＶＤ箔部分、用紙のＫインキ部分＋ＯＶＤ箔部分を、サーモパイル型赤外線センサを用いて測定したものである。
【００４４】
図９において、ＣＭＹインキとブラック（Ｋ）インキの印刷物で位相に差があり、この印刷物の上にさらにＯＶＤ箔を貼付しても、全体の位相にずれが生じるが、ＯＶＤの下にあるＣＭＹインキとブラック（Ｋ）インキでは、同様に位相に差を測定することができる。
このように下のインキをＯＶＤで隠蔽してもＯＶＤの下の材料を位相差として測定することが可能であり、熱伝導率が同一にならないと識別が困難となるので、偽造がし難くなり、真偽判別が可能となる。
【図面の簡単な説明】
【００４５】
【図１】実施の形態１の接触式サーミスタセンサを用いた検知装置と検知方法の概略図
【図２】サーミスタセンサで印刷物を測定した図
【図３】実施の形態２の非接触式サーモパイルセンサを用いた検知装置と検知方法の概略図
【図４】実施の形態２において測定対象物の材質の違いによる熱の伝導率を測定した図
【図５】サーモパイルセンサで印刷物を測定した図
【図６】実施例１の印刷物の読取装置を示す図
【図７】実施例１の印刷物の読取方法を示す図
【図８】実施例１の印刷物の測定値を示す図
【図９】実施例２の印刷物の測定値を示す図
【符号の説明】
【００４６】
１  印刷物
２  基材
３  インキ
４  サーミスタセンサ
５  熱赤外照射器
６  サーモパイルセンサ
７  チョッパ
８  熱赤外検知器
９  金属板
１０  熱赤外照射用電源部
１１  増幅部
１２  信号整形部
１３  二値化部
１４  出力器
【図１】
2009101647.tif 000003
【図２】
2009101647.tif 000004
【図３】
2009101647.tif 000005
【図４】
2009101647.tif 000006
【図５】
2009101647.tif 000007
【図６】
2009101647.tif 000008
【図７】
2009101647.tif 000009
【図８】
2009101647.tif 000010
【図９】
2009101647.tif 000011